【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
透液性の表面シートと、不透液性の裏面シートと、前記表面シートと前記裏面シートとの間に腹側部から背側部にかけて介装される吸収体と、を備え、前記背側部の両側方に延出した一対の止着部と、前記腹側部の前記裏面シートに設けられた被着部と、を有する吸収性物品において、
前記止着部には、前記被着部に係止させるためのファスニング部材が、前記止着部と異なる色に着色されて備えられ、
前記ファスニング部材が備えられている位置に対応する前記止着部には、前記ファスニング部材に向かって窪むエンボスが施されていることを特徴とする吸収性物品。
【請求項２】
透液性の表面シートと、不透液性の裏面シートと、前記表面シートと前記裏面シートとの間に腹側部から背側部にかけて介装される吸収体と、を備え、前記背側部の両側方に延出した一対の止着部と、前記腹側部の前記裏面シートに設けられた被着部と、を有する吸収性物品において、
前記止着部には、前記被着部に係止させるための透明なファスニング部材が、前記止着部と異なる色に着色された接着剤によって接着されて備えられ、
前記ファスニング部材が備えられている位置に対応する前記止着部には、前記ファスニング部材に向かって窪むエンボスが施されていることを特徴とする吸収性物品。
【請求項３】
前記ファスニング部材には、前記止着部に向かって窪むエンボスが施されていることを特徴とする請求項１又は２に記載の吸収性物品。
【手続補正２】
【補正対象書類名】明細書
【補正対象項目名】０００６
【補正方法】変更
【補正の内容】
【０００６】
以上の課題を解決するため、請求項１に記載の発明は、
透液性の表面シートと、不透液性の裏面シートと、前記表面シートと前記裏面シートとの間に腹側部から背側部にかけて介装される吸収体と、を備え、前記背側部の両側方に延出した一対の止着部と、前記腹側部の前記裏面シートに設けられた被着部と、を有する吸収性物品において、
前記止着部には、前記被着部に係止させるためのファスニング部材が、前記止着部と異なる色に着色されて備えられ、
前記ファスニング部材が備えられている位置に対応する前記止着部には、前記ファスニング部材に向かって窪むエンボスが施されていることを特徴とする。
【手続補正３】
【補正対象書類名】明細書
【補正対象項目名】０００７
【補正方法】変更
【補正の内容】
【０００７】
請求項２に記載の発明は、
透液性の表面シートと、不透液性の裏面シートと、前記表面シートと前記裏面シートとの間に腹側部から背側部にかけて介装される吸収体と、を備え、前記背側部の両側方に延出した一対の止着部と、前記腹側部の前記裏面シートに設けられた被着部と、を有する吸収性物品において、
前記止着部には、前記被着部に係止させるための透明なファスニング部材が、前記止着部と異なる色に着色された接着剤によって接着されて備えられ、
前記ファスニング部材が備えられている位置に対応する前記止着部には、前記ファスニング部材に向かって窪むエンボスが施されていることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３に記載の発明は、請求項１又は２に記載の吸収性物品において、
前記ファスニング部材には、前記止着部に向かって窪むエンボスが施されていることを特徴とする。
【手続補正６】
【補正対象書類名】明細書
【補正対象項目名】００１０
【補正方法】変更
【補正の内容】
【００１０】
請求項１に記載の発明によれば、吸収性物品における止着部には、被着部に係止させるためのファスニング部材が、止着部と異なる色に着色されて備えられているので、止着部に備えられるファスニング部材を視認しやすくなっている。そして、止着部におけるファスニング部材の位置がわかり易く、見つけやすい。
従って、吸収性物品を装着する際にファスニング部材の位置を確認しつつ、そのファスニング部材を被着部の所望する位置に係止するようにして、吸収性物品を着用することができる。つまり、ファスニング部材の位置がわかり易いことによって、被着部にファスニング部材によって止着部を係止させる位置を調整しやすく、吸収性物品を装着しやすくなる。
よって、吸収性物品におけるファスニング部材の色を、ファスニング部材が備えられる止着部と異なる色とすることによって、より装着しやすい吸収性物品とすることができる。
特に、ファスニング部材が備えられている位置に対応する止着部には、ファスニング部材に向かって窪むエンボスが施されているので、そのエンボス加工が施された止着部が薄く圧縮されている。そして、薄く圧縮された止着部部分は、光透過性が向上することとなって、ファスニング部材の色が透けて視認可能となる。
よって、止着部側からもファスニング部材の色が視認可能となることにより、ファスニング部材の位置がよりわかりやすくなるので、より装着しやすい吸収性物品とすることができる。
【手続補正７】
【補正対象書類名】明細書
【補正対象項目名】００１１
【補正方法】変更
【補正の内容】
【００１１】
請求項２に記載の発明によれば、吸収性物品における止着部には、被着部に係止させるための透明なファスニング部材が、止着部と異なる色に着色された接着剤によって接着されて備えられているので、その接着剤の色に基づき止着部に備えられるファスニング部材の位置を視認しやすくなっている。そして、止着部におけるファスニング部材の位置がわかり易く、見つけやすい。
従って、吸収性物品を装着する際にファスニング部材の位置を確認しつつ、そのファスニング部材を被着部の所望する位置に係止するようにして、吸収性物品を着用することができる。つまり、ファスニング部材の位置がわかり易いことによって、被着部にファスニング部材によって止着部を係止させる位置を調整しやすく、吸収性物品を装着しやすくなる。
よって、透明なファスニング部材を、そのファスニング部材が備えられる止着部と異なる色を有する接着剤によって止着部に接着することによって、より装着しやすい吸収性物品とすることができる。
特に、ファスニング部材が備えられている位置に対応する止着部には、ファスニング部材に向かって窪むエンボスが施されているので、そのエンボス加工が施された止着部が薄く圧縮されている。そして、薄く圧縮された止着部部分は、光透過性が向上することとなって、接着剤の色が透けて視認可能となる。
よって、止着部側からも接着剤の色が視認可能となることにより、ファスニング部材の位置がよりわかりやすくなるので、より装着しやすい吸収性物品とすることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項３に記載の発明によれば、請求項１又は２に記載の発明と同様の効果が得られることは無論のこと、ファスニング部材には、前記止着部に向かって窪むエンボスが施されているので、ファスニング部材や接着剤を止着部側に密着させることができる。
そして、止着部に密着させられたファスニング部材や接着剤の色が、その止着部を透過するように視認可能となる。
よって、止着部側からもファスニング部材や接着剤の色が視認可能となることにより、ファスニング部材の位置がよりわかりやすくなるので、より装着しやすい吸収性物品とすることができる。